(57)【要約】【課題】  既存のポータブル型オーディオ機器を簡単にワイヤレス化できるようにする。【解決手段】  所定の機器１００のオーディオ信号出力端子１２０に接続されるアダプタ装置２００と、そのアダプタ装置２００と無線通信を行うオーディオ受信装置２４０とで構成し、アダプタ装置２００として、所定の機器のオーディオ信号出力端子１２０に接続される端子部２１１と、その端子部２１１に入力したオーディオ信号を無線送信する第１の通信部とを備え、オーディオ受信装置２４０として、アダプタ装置２００の第１の通信部から無線送信されたオーディオ信号を受信する第２の通信部と、第２の通信部が受信したオーディオ信号を出力する出力部とを備えた。【選択図】      図２ 
2005328368.tif 000002
【特許請求の範囲】
【請求項１】
所定の機器のオーディオ信号出力端子に接続される端子部と、
前記端子部に入力したオーディオ信号を無線送信する第１の通信部とを備えたアダプタ装置と、
前記アダプタ装置の第１の通信部から無線送信されたオーディオ信号を受信する第２の通信部と、
前記第２の通信部が受信したオーディオ信号を出力する出力部とを備えたオーディオ受信装置とで構成される
オーディオ伝送システム。
【請求項２】
請求項１記載のオーディオ伝送システムにおいて、
前記アダプタ装置の端子部は、前記機器のオーディオ信号出力端子の近傍に設けられたリモートコントロール用端子にも接続される端子部であり、前記オーディオ受信装置の第２の通信部から前記アダプタ装置の第１の通信部に無線送信されたリモートコントロール信号を、前記端子部を介して前記機器に供給する
オーディオ伝送システム。
【請求項３】
請求項２記載のオーディオ伝送システムにおいて、
前記アダプタ装置の端子部は、前記機器のリモートコントロール用端子を介して電源の供給も受け、その供給される電源により、前記第１の通信部を作動させる
オーディオ伝送システム。
【請求項４】
請求項１記載のオーディオ伝送システムにおいて、
前記オーディオ受信装置は、前記アダプタ装置が装着される装着部を有する
オーディオ伝送システム。
【請求項５】
所定の機器のオーディオ信号出力端子に接続される端子部と、
前記端子部に入力したオーディオ信号を無線送信する通信部と、
前記端子部及び前記通信部を収納し、前記端子部の前記出力端子への接続で、前記機器に装着される筐体とを備えた
アダプタ装置。
【請求項６】
請求項５記載のアダプタ装置において、
前記端子部は、前記機器のオーディオ信号出力端子の近傍に設けられたリモートコントロール用端子にも接続される端子部であり、
前記通信部は、リモートコントロール信号を受信する処理についても行い、受信したリモートコントロール信号に基づいた信号を、前記端子部から前記リモートコントロール用端子を介して前記機器に供給する
アダプタ装置。
【請求項７】
請求項６記載のアダプタ装置において、
前記端子部は、前記機器のリモートコントロール用端子を介して電源の供給も受け、その供給される電源により、前記通信部を作動させる
アダプタ装置。
【発明の詳細な説明】
【技術分野】
【０００１】
本発明は、例えばポータブル型のオーディオ再生装置と組み合わせて使用して好適なオーディオ伝送システム及びアダプタ装置に関する。
【背景技術】
【０００２】
従来、光ディスク、光磁気ディスク、磁気テープ、半導体メモリなどの記録媒体に記録されたオーディオデータを再生したり、あるいは記録が可能なオーディオ再生装置やオーディオ記録再生装置が各種開発されている。この場合、携帯用として小型に構成されたものもあり、このような携帯用のポータブル機種の場合には、リモートコントロール装置で遠隔制御できるようにしたものもある。
【０００３】
すなわち、例えばポータブル型のオーディオ再生装置の場合、ヘッドホン装置を再生装置に接続して、そのヘッドホン装置で再生したオーディオを聴取するようにしてあり、再生装置とヘッドホン装置とを接続するケーブルの途中にリモートコントロールを配置したものがある。この場合、そのリモートコントロール装置と再生装置の通信についてもケーブルを介して行い、リモートコントロール装置に取り付けられたキーの操作で、再生装置の制御が出来るとともに、リモートコントロール装置に配置された表示パネルに、再生装置から供給される再生状態のデータに基づいた表示（例えばトラック番号、再生時間、ディスク名、曲名、再生状態などの表示）が出来るようにしてある。
【０００４】
このようなリモートコントロール装置付のヘッドホン装置を使用することで、リモートコントロール装置によるオーディオ機器の遠隔操作が行なえ、オーディオ機器の操作性が向上する。
【０００５】
図５及び図６は、従来のデジタルオーディオデータが記録された光ディスク又は光磁気ディスクを再生するポータブル型オーディオ機器としてのオーディオ再生装置の構成例（図５）と、形状の例（図６）を示した図である。この例では、オーディオ再生装置１００は、ワイヤードリモートコントロール装置１４０が接続され、そのワイヤードリモートコントロール装置１４０にヘッドホン１５０が接続される構成としてある。
【０００６】
まず、オーディオ再生装置１００でディスクを再生する構成について説明すると、オーディオ再生装置１００に装着されたディスク１０１は、スピンドルモータ１０２で回転駆動され、光学ピックアップ１０３でディスクから読出したデータを、再生処理回路１０４に供給して、再生データを復調する。スピンドルモータ１０２，光学ピックアップ１０３，再生処理回路１０４での処理は、システムコントローラ１１０の制御に基づいて実行される。
【０００７】
再生処理回路１０４で得た再生オーディオデータは、デジタル・アナログ変換器１０５に供給してアナログ音声信号に変換し、その変換されたアナログ音声信号をアナログ処理回路１０６に供給して、増幅などのアナログ処理を行い、処理されたアナログ音声信号を端子部１２０のオーディオ出力端子１２１に供給する。なお、このオーディオ再生装置１００で再生されるオーディオデータは、実際には左右２チャンネルのステレオオーディオデータであるが、本明細書では説明を簡単にするために１系統で示してある。
【０００８】
本例の端子部１２０は、オーディオ信号用のプラグとリモートコントロール用のプラグが一体化されたものが装着できるジャックとして構成としてある。即ち、装着されるプラグとして、例えば図６に示すように、棒状のオーディオ用プラグ１４６と平板状のリモートコントロール用プラグ１４７とが一体化されたプラグ１４５が装着できる構成としてある。端子部１２０のリモートコントロール用の端子（即ちリモートコントロール用プラグ１４７と接続される端子）としては、リモートコントロール装置に電源（ここでは＋５Ｖ電源）を供給する端子１２２と、リモートコントロール装置と双方向で通信を行うデータ用の端子１２３と、リモートコントロール装置側のキー情報が得られる端子１２４と、接地用端子１２５の４つの端子を備える。なお、本例のオーディオ再生装置１００にワイヤードリモートコントロール装置１４０を接続しない場合には、端子部１２０のオーディオ出力端子１２１に、ヘッドホン装置のプラグを直接接続できるオーディオ出力ジャックとして構成としてある。また、図６に示したリモートコントロール用プラグ１４７の形状については、製造メーカや機種により様々な形状があり、ここでは一例を示している。
【０００９】
そして本例のオーディオ再生装置１００には、再生などの指示を行う各種操作キー１０７が配置してあり、そのキー１０７の操作情報が制御部であるシステムコントローラ１１１に供給される構成としてある。また、液晶表示パネルで構成される表示部１０８がオーディオ再生装置１００に配置してあり、システムコントローラ１１１の制御で、再生状態などの表示（例えばトラック番号，再生時間，ディスク名，曲名，再生状態などの表示）が行われるようにしてある。なお、次に説明するワイヤードリモートコントロール装置１４０側だけで表示を行うようにして、オーディオ再生装置本体側には表示部を設けない構成の場合もある。
【００１０】
次に、再生装置１００に接続されるワイヤードリモートコントロール装置１４０の構成について説明すると、ワイヤードリモートコントロール装置１４０は、図５及び図６に示すように、再生装置１００の端子部１２０に接続されて使用される。このリモートコントロール装置１４０は、リモートコントロール装置内の制御を行うコントローラ１４１と、このコントローラ１４１の制御で各種情報を表示する表示部１４２と、再生装置の操作用のキー１４３と、ヘッドホン装置用プラグが接続されるジャック１４４とを備える。
【００１１】
コントローラ１４１と表示部１４２は、再生装置１００の端子１２２から供給される電源により作動する。表示部１４２は、液晶表示パネルなどの表示手段で構成されて、再生装置本体側の表示部１０８と同様の情報の表示（例えばトラック番号，再生時間，ディスク名，曲名，再生状態などの表示）が行われるようにしてある。キー１４３については、例えば端子部１２０の端子１２１と端子１２５との間（即ち電源電位部と接地電位部との間）に接続されて、キー１４３の操作状態に基づいて、端子１２４に得られる電位（即ち再生装置側のシステムコントローラ１１０のキー情報用ポート１１２で検出される電位）が変化するようにして、システムコントローラ１１０でその操作状態を検出できる構成としてある。ジャック１４４には、ヘッドホン装置１５０が接続してあり、ヘッドホン装置１５０の左右のスピーカユニット１５１，１５２から音声が出力される。
【００１２】
ここで、オーディオ再生装置１００にワイヤードリモートコントロール装置１４０が接続される状態の例を図６を参照して説明すると、オーディオ再生装置１００は、端子部１２０にワイヤードリモートコントロール装置１４０のプラグ１４５を矢印ａで示すように挿入することで、接続される。この場合、ワイヤードリモートコントロール装置１４０のヘッドホンジャック１４４に、ヘッドホン装置１５０を接続することで、ワイヤードリモートコントロール装置１４０を介してヘッドホン装置１５０がオーディオ再生装置１００に接続される。ワイヤードリモートコントロール装置１４０のキー１４３は、例えば矢印ｂで示すような左右両方向への回動操作と、矢印ｃで示す方向への押下げ操作とが可能な構成として、両操作の組み合わせで、再生装置１００の各種操作指示が行え、表示部１４２には文字や図形などで各種表示が行われる。
【００１３】
ところで、このようにオーディオ機器とリモートコントロール装置を有線で接続する構成の場合には、オーディオ機器とヘッドホン装置やリモートコントロール装置をあまり離して使用することが困難で、使用態様に制限がある。このため、オーディオ機器とリモートコントロール装置に無線装置を内蔵して、無線接続によりリモートコントロール装置（ワイヤレスリモートコントロール装置）から遠隔制御できるようにしたものが従来から提案されている。また、オーディオ信号そのものをオーディオ機器から無線送信させて、ヘッドホンに接続された小型の受信機で受信させるようにして、オーディオ伝送そのものもワイヤレス化するようにしたものも従来から開発されている。
【００１４】
特許文献１には、この種のポータブル型のオーディオ再生装置と、そのオーディオ再生装置に接続されるリモートコントロール装置やヘッドホンの一例についての開示がある。特許文献１には、リモートコントロール装置をワイヤレス化することについての記載がある。
【特許文献１】特開２０００−２７８７６９号公報
【発明の開示】
【発明が解決しようとする課題】
【００１５】
しかしながら、ヘッドホン装置やリモートコントロール装置をワイヤレス化するためには、オーディオ機器に無線装置を内蔵することが必要になる。特に、図６に示したような、従来のワイヤードリモートコントロール装置が接続されるオーディオ機器を所持しているユーザは、無線装置を内蔵したオーディオ機器へ買い換えることが必要になり、ユーザの金銭的負担が増加する問題がある。
【００１６】
本発明はかかる点に鑑みてなされたものであり、この種のオーディオ機器を簡単にワイヤレス化できるようにすることを目的とする。
【課題を解決するための手段】
【００１７】
本発明は、所定の機器のオーディオ信号出力端子に接続されるアダプタ装置と、そのアダプタ装置と無線通信を行うオーディオ受信装置とで構成し、アダプタ装置として、所定の機器のオーディオ信号出力端子に接続される端子部と、その端子部に入力したオーディオ信号を無線送信する第１の通信部とを備え、オーディオ受信装置として、アダプタ装置の第１の通信部から無線送信されたオーディオ信号を受信する第２の通信部と、第２の通信部が受信したオーディオ信号を出力する出力部とを備えたものである。
【００１８】
このようにしたことで、アダプタ装置をオーディオ機器のオーディオ信号出力端子に接続することで、そのアダプタ装置が接続されたオーディオ機器が、オーディオ受信装置と無線通信できることになり、例えばオーディオ受信装置の出力部にヘッドホン装置を接続させることで、アダプタ装置が接続されたオーディオ機器がワイヤレス化される。
【発明の効果】
【００１９】
本発明によると、アダプタ装置をオーディオ機器のオーディオ信号出力端子に接続するだけで、既存のオーディオ機器を利用して、ワイヤレス化されたオーディオシステムが簡単に実現できる。
【００２０】
この場合、アダプタ装置の端子部は、オーディオ機器のリモートコントロール用端子にも接続される端子部であり、オーディオ受信装置側の通信部からアダプタ装置側の通信部に無線送信されたリモートコントロール信号を、端子部を介してオーディオ機器に供給することで、オーディオ受信装置がワイヤレスリモートコントロール装置も兼ねることになり、既存のオーディオ機器のリモートコントロールも出来るようになる。
【００２１】
また、アダプタ装置の端子部は、オーディオ機器のリモートコントロール用端子を介して電源の供給も受け、その供給される電源により、アダプタ装置内の通信部を作動させることで、アダプタ装置が電池などの電源を備える必要がなく、アダプタ装置を接続させるだけで簡単に使用できるようになる。
【００２２】
さらに、オーディオ受信装置は、アダプタ装置が装着される装着部を有することで、アダプタ装置とオーディオ受信装置を収納させる際には、アダプタ装置をオーディオ受信装置に取り付けて一体化した状態で収納させることができ、アダプタ装置の紛失防止などが図れる。
【発明を実施するための最良の形態】
【００２３】
以下、本発明の一実施の形態を、図１〜図３を参照して説明する。この図１〜図３において、背景技術の欄で説明した図５、図６に対応する部分には同一符号を付す。
【００２４】
本例においては、背景技術の欄で説明した図５、図６に示したオーディオ機器であるオーディオ再生装置１００を使用して、このオーディオ再生装置１００をワイヤレス化するようにしたものである。オーディオ再生装置１００の内部構成については、既に説明してあるとともに本例の処理構成と直接関係がないので、ここでは特に説明しないが、オーディオ再生装置１００が備えるオーディオ出力端子としての端子部１２０は、オーディオ信号用のプラグとリモートコントロール用のプラグが一体化された端子が装着できるジャックとして構成としてあり、図６に示した如きワイヤードリモートコントロール装置１４０が接続できる構成としてある。
【００２５】
ここで本例においては、この端子部１２０にワイヤードリモートコントロール装置の代わりに、図１に示すように、アダプタ装置２００を接続し、そのアダプタ装置２００と無線通信するオーディオ受信装置２４０を設けるようにしたものである。アダプタ装置２００は、本例の場合には、図２に示すように非常に小型の筐体に収納された形状としてあり、オーディオ受信装置２４０は、ヘッドホン装置１５０等のオーディオ出力手段が接続される。
【００２６】
図１を参照して、アダプタ装置２００の内部構成について説明すると、オーディオ再生装置１００側の端子部１２０に接続される端子部２１０を備える。この端子部２１０は、オーディオ信号用のプラグとしての端子２１１とリモートコントロール用のプラグとしての端子２１２〜２１５が一体化された端子部である。なお、端子２１１は、実際には３端子で構成されて、左右２チャンネルのステレオオーディオ信号を受信する端子として構成されているが、ここでは説明を簡単にするために１系統の端子として示してある。また、この端子２１１に得られる信号を処理するオーディオ信号伝送ラインなどの、各オーディオ信号伝送ラインについても、同様に１系統のラインとして示してある。
【００２７】
端子２１１に得られるオーディオ信号は、アナログ・デジタル変換器２０１に供給して、デジタルデータに変換し、変換されたデジタルオーディオデータを、システムコントローラ２０２の制御で送信処理部２０３に供給し、デジタルデータを無線送信する処理を行い、送信処理部２０３に接続されたアンテナ２０５から無線送信させる。アンテナ２０５としては、例えば小型化されたチップアンテナを使用する。
【００２８】
送信処理部２０３では、例えば２.４ＧＨｚ帯などの比較的高い周波数帯を送信周波数として使用して、例えば数ｍ程度の近距離の無線伝送処理が行われる。この周波数帯を使用する近距離の無線通信方式としては、例えばBluetooth（商標）として規格化された方式や、無線ＬＡＮとして実用化されている方式などがある。
【００２９】
また、アンテナ２０５は、受信処理部２０４が接続してあり、アンテナ２０５を介して供給される受信信号を受信処理するようにしてある。受信処理部２０４で受信処理する信号は、オーディオ再生装置１００のリモートコントロール信号などである。受信処理部２０４で受信した信号は、システムコントローラ２０２の制御でオーディオ再生装置１００側に供給するフォーマットのリモートコントロール信号とし、そのリモートコントロール信号を端子２１４からオーディオ再生装置１００側に供給する。
【００３０】
オーディオ再生装置１００側にリモートコントロール信号が供給されると、図６に示した如きワイヤードリモートコントロール装置１４０からリモートコントロール信号が供給された場合と同様の動作を行う。
【００３１】
また、オーディオ再生装置１００の端子１２３から、アダプタ装置２００の端子２１３を介して供給される表示用のデータなどが供給され、その表示用のデータを、システムコントローラ２０２は、送信処理部２０３からオーディオデータとともに無線送信させる。
【００３２】
アダプタ装置２００内の各回路を作動させる電源については、オーディオ再生装置１００の端子１２２から、アダプタ装置２００の端子２１２に得られる５Ｖなどの直流電源を使用する。このオーディオ再生装置１００の端子１２２から出力される電源は、本来は図６に示したワイヤードリモートコントロール装置１４０を作動させるための電源である。なお、オーディオ再生装置１００については、電源１３０として、内蔵された二次電池などを使用するようにしてある。
【００３３】
次に、このように構成されるアダプタ装置２００と無線通信を行うオーディオ受信装置２４０の内部構成を、図１を参照して説明する。オーディオ受信装置２４０は、チップアンテナなどで構成されたアンテナ２４１が、送信処理部２４２及び受信処理部２４３に接続してある。受信処理部２４３では、アダプタ装置２００から無線送信された信号を受信処理し、システムコントローラ２４５に供給する。システムコントローラ２４５では、受信した信号に含まれるオーディオデータを、デジタル・アナログ変換器２４８に供給して、アナログオーディオ信号に変換し、変換されたオーディオ信号を、アナログ処理部２４９で増幅などのアナログ信号処理を行い、処理されたオーディオ信号を、出力手段としての出力端子（図示せず）に接続されたヘッドホン装置１５０に供給し、ヘッドホン装置１５０から出力（放音）させる。なお、出力端子を設けずに、ヘッドホン装置が出力手段としてオーディオ受信装置２４０に直接接続された構成でもよい。
【００３４】
またオーディオ受信装置２４０は表示部２４７を備え、システムコントローラ２４５に供給された受信データに表示データが含まれていた場合に、その表示データを表示部２４７に供給して、表示部２４７で対応した表示を実行させる。さらに、オーディオ受信装置２４０はキー２４６を備える。キー２４６としては、オーディオ再生装置１００を操作するリモートコントロール用のキーと、このオーディオ受信装置２４０のオン・オフを操作する電源スイッチ、音量調整用のアップキー及びダウンキーなどを備える。このキー２４６の操作をシステムコントローラ２４５が検出して、キー操作に対応した制御を行う。
【００３５】
リモートコントロール用のキーが操作された場合には、オーディオ再生装置１００を制御するリモートコントロール信号を生成させる。生成されたリモートコントロール信号は、送信処理部２４２で送信処理し、アンテナ２４１から無線送信させる。この送信処理部２４２での送信処理状態については、例えばアダプタ装置２００側の送信処理部２０３と同様の処理でよい。或いは、リモートコントロール信号として予め決められた所定個のコードを伝送させるだけであるので、簡単な変調処理などを行う送信処理でもよい。或いはまた、赤外線信号の伝送などの他の伝送方式で、オーディオ受信装置２４０からアダプタ装置２００（又は再生装置１００）にリモートコントロール信号を無線伝送する構成としてもよい。
【００３６】
なお、オーディオ受信装置２４０は二次電池などを使用した電源２５０が内蔵され、電源２５０からオーディオ受信装置２４０内の各回路に動作用の電源が供給される。
【００３７】
図２は、本例のアダプタ装置２００とオーディオ受信装置２４０の形状の例を示した図である。本例においては、アダプタ装置２００は、オーディオ再生装置１００側の端子部１２０に接続されるプラグとしての端子部２１０が一体に取り付けられた小型の筐体内に構成させてあり、アンテナについても内蔵されている。この小型のアダプタ装置２００は、プラグとしての端子部２１０を、図２に矢印ａで示すように、オーディオ再生装置１００側の端子部１２０に接続させることで、オーディオ再生装置１００にアダプタ装置２００そのものが装着されて、装着状態が維持される構成としてある。
【００３８】
即ち、オーディオ再生装置１００側のオーディオ出力端子１２１を構成するオーディオ出力ジャック内には、そのジャックに接続されたプラグの導電部とある程度の接触力（弾性力）を持って接続する導電部を有し、その接触力程度の力で、端子部１２０に接続されたアダプタ装置２００が保持されるようにしてある。
【００３９】
アダプタ装置２００と無線通信を行うオーディオ受信装置２４０については、図２に示したように、基本的に従来のワイヤードリモートコントロール装置と同様の形状としてある。この例では、横長形状としてあり、表示部２４７に、トラック番号，再生時間，ディスク名，曲名，再生状態などの再生装置本体側と同様の表示が行えるようにしてあるとともに、複数のキー２４６で、再生装置のリモートコントロールが行えるようにしてある。
【００４０】
オーディオ受信装置２４０には、ヘッドホン装置１５０が取り付けてあり、左右のスピーカユニット１５１，１５２をユーザの耳介に装着することで、アダプタ装置２００から無線伝送されたオーディオを受信して聴取できる。
【００４１】
また本例のオーディオ受信装置２４０は、アダプタ装置２００が装着される装着部を有する形状としてある。即ち、図２に示すように、オーディオ受信装置２４０を構成する筐体の端面２４０ａに、アダプタ装置２００側のプラグとしての端子２１１が挿入できる形状のダミーの端子（ジャック）として構成された孔２６１と、端子２１２〜２１５が挿入できる形状のダミーの端子（ジャック）として構成された孔２６２とを有する。
【００４２】
このような形状としてあることで、アダプタ装置２００やオーディオ受信装置２４０を使用しない際に、両装置２００，２４０を一体化して収納させることができる。即ち、例えば図３に示したように、オーディオ受信装置２４０の端面２４０ａの孔２６１，２６２に、アダプタ装置２００の端子２１１〜２１５を挿入させることで、小型のアダプタ装置２００がオーディオ受信装置２４０と一体化するので、小型に構成されたアダプタ装置２００の紛失などを効果的に防止することができる。
【００４３】
なお、ここではダミーの端子として構成させたが、オーディオ受信装置２４０をオーディオケーブルで再生装置１００側と直接接続させるための入力端子（出力端子）として構成させてもよい。
【００４４】
以上説明したように、本例のアダプタ装置２００とオーディオ受信装置２４０を用意して、アダプタ装置２００をオーディオ再生装置１００に接続することで、オーディオ再生装置１００がワイヤレス型のオーディオ機器として機能するようになる。従って、既にオーディオ再生装置１００を所持しているユーザにとっては、本例のアダプタ装置２００とオーディオ受信装置２４０を用意するだけで、ワイヤレス型のポータブルオーディオ機器とすることができ、既存のオーディオ再生装置が有効活用される。
【００４５】
この場合、アダプタ装置２００については、オーディオ再生装置１００に用意されたリモートコントロール装置接続用の電源端子を使用して、電源の供給を受けるようにしたので、電池などの電源を内蔵する必要がなく、小型化が図れるとともに電池交換や充電などの手間がかからない効果を有する。
【００４６】
なお、上述した実施の形態では、オーディオ受信装置２４０側にリモートコントロール装置としての機能を持たせるようにしたが、オーディオ受信装置では、アダプタ装置からのオーディオデータを受信する機能だけを持たせるようにしてもよい。即ち、例えば図４に示すように、オーディオ再生装置１００に接続されるアダプタ装置２００′内の通信手段として、オーディオデータの送信処理を行う送信処理部２０３だけを設け、受信部は設けない構成とする。
【００４７】
このアダプタ装置２００′と無線通信を行うオーディオ受信装置２４０′についても、図４に示すように、通信手段として、オーディオデータの送信処理を行う受信処理部２４３だけを設け、送信部は設けない構成とする。また、表示部やキーについても設けない。但し、オーディオ信号の受信のオン・オフを操作する電源スイッチや音量調整用のアップキー及びダウンキーなどの、このオーディオ受信装置２４０′内で処理される操作用のキーは設けてもよい。
【００４８】
この図４に示すように構成したことで、図１、図２に示した例の場合よりも簡単な回路構成で、アダプタ装置とオーディオ受信装置を構成させることができる。なお、この図４に示したように、リモートコントロール装置を内蔵しない構成の場合には、オーディオ受信装置２４０′をヘッドホン装置に内蔵させる形状としてもよい。
【００４９】
また、ここまでの説明では、アダプタ装置が接続されるオーディオ機器として、ディスク再生装置を使用した例について説明したが、その他のオーディオ出力端子を備えた機器についても使用可能であることは勿論である。また、アダプタ装置やオーディオ受信装置の形状についても、上述した実施の形態は一例を示したものであり、その他の形状としてもよい。また、オーディオ機器が備える端子部のリモートコントロール信号用端子の形状についても、上述した実施の形態は一例を示したものであり、その他の形状の端子に接続されるアダプタ装置として構成してもよい。
【図面の簡単な説明】
【００５０】
【図１】本発明の一実施の形態による全体構成例を示したブロック図である。
【図２】本発明の一実施の形態による形状の例を示した斜視図である。
【図３】本発明の一実施の形態による収納状態の例を示した斜視図である。
【図４】本発明の一実施の形態の変形例を示したブロック図である。
【図５】従来のオーディオ機器の構成例を示したブロック図である。
【図６】図５例の機器の形状の例を示した斜視図である。
【符号の説明】
【００５１】
１００…オーディオ再生装置、１２０…端子部、１５０…ヘッドホン装置、２００，２００′…アダプタ装置、２０１…アナログ・デジタル変換器、２０２…システムコントローラ、２０３…送信処理部、２０４…受信処理部、２０５…アンテナ、２１０…端子部、２４０，２４０′…オーディオ受信装置、２４１…アンテナ、２４２…送信処理部、２４３…受信処理部、２４５…システムコントローラ、２４６…キー、２４７…表示部、２４８…デジタル・アナログ変換器、２４９…アナログ処理部、２６１，２６２…アダプタ装着部
【図１】
2005328368.tif 000003
【図２】
2005328368.tif 000004
【図３】
2005328368.tif 000005
【図４】
2005328368.tif 000006
【図５】
2005328368.tif 000007
【図６】
2005328368.tif 000008